(57)【要約】【課題】  シートの高さを手元のレバーにより容易に調整することが出来るとともに、シートポストの前後方向に空間を確保できないものにも容易に適用出来る、運動装置のシート高さ調整装置を得ること。【解決手段】  運動装置のシート高さ調整装置に関する。運動装置のベースフレーム１から立設され、側壁部に高さ方向に列状に複数の開口２ａが設けられたアウターシートポスト２内に、頂端部にシート４を装着するトップキャップ７が固着されたインナーシートポスト３を上下方向に摺動可能に嵌挿し、上記インナーシートポスト３内に、下部に上記アウターシートポスト２の開口２ａに選択的に係脱されるロータリープレート９が装着されたロータリーロッド２０を挿通し、上記トップキャップ７に設けられた操作レバー１２によって上記ロータリーロッド２０を介してロータリープレート９を回動させ、ロータリープレート９を上記アウターシートポスト２の開口２ａに係脱可能とした。【選択図】  図１
2005245686.tif 000002
【特許請求の範囲】
【請求項１】
運動装置のベースフレームから立設され、側壁部に高さ方向に列状に複数の開口が設けられたアウターシートポストと、上記アウターシートポスト内に上下方向に摺動可能に嵌挿され、頂端部にシートを装着するトップキャップが固着されたインナーシートポストと、上記インナーシートポスト内に挿通され、下部に上記アウターシートポストの開口に選択的に係脱されるロータリープレートが装着されたロータリーロッドと、上記トップキャップに設けられた操作レバーによって上記ロータリーロッドを介してロータリープレートを回動させるロータリープレート操作機構とを有することを特徴とする、運動装置のシート高さ調整装置。
【請求項２】
上記ロータリープレート操作機構は、上記ロータリーロッドの上部に装着されたスプロケットと、そのスプロケットに卷装され、上記トップキャップに設けられた操作レバーに連動連結されたチェンとを有することを特徴とする、請求項１記載の運動装置のシート高さ調整装置。
【請求項３】
上記チェンは、上記ロータリープレートが前記アウターシートポストの開口に係合する方向にリターンスプリングにより付勢されていることを特徴とする、請求項２記載の運動装置のシート高さ調整装置。
【請求項４】
上記アウターシートポストは断面矩形状の筒状を呈しており、上記ロータリープレートの回動位置に応じて、そのロータリープレートの先端部の係合片部がアウターシートポストの開口に係合され或いはその係合片部がアウターシートポスト内に引き込まれることを特徴とする、請求項１〜３のいずれかに記載の運動装置のシート高さ調整装置。
【請求項５】
ロータリープレートには、そのロータリープレートのアウターシートポスト内への回動方向に対して後側隅角部に切欠き部が形成されていることを特徴とする、請求項４記載の運動装置のシート高さ調整装置。
【請求項６】
ロータリーロッドの上下両端部にはそれぞれ少なくとも１つの非円形部が形成されており、そのロータリーロッドの上下両端部に、それぞれ上記ロータリーロッドの上端部或いは下端部の外形と同様な穴を有するスプロケット或いはロータリープレートが嵌装されていることを特徴とする、請求項１〜５のいずれかに記載の運動装置のシート高さ調整装置。
【請求項７】
前記トップキャップには、操作レバー、スプロケット及び上記操作レバーとスプロケットに卷装されたチェンとを連結するスライダーが装着されるとともに、上記操作レバー、リターンスプリング、チェン及びスライダーの脱落を防止する断面コ字状の被覆部材が装着されていることを特徴とする、請求項１〜６のいずれかに記載の運動装置のシート高さ調整装置。
【請求項８】
インナーシートポストまたはアウターシートポストの側面には上下方向に複数の穴が設けられており、アウターシートポストまたはインナーシートポスト側には、上記穴よりも大きな直径のボール球或いは少なくとも上記穴と対向する面が円形状の突起物が突出方向に付勢されており、前記ロータリープレートがアウターシートポストの側面に設けられた開口位置に移動したとき、上記ボール球或いは突起物の先端部が上記穴に選択的に係合するようにしてあることを特徴とする、請求項１〜７のいずれかに記載の運動装置のシート高さ調整装置。
【請求項９】
水平軸を中心として揺動可能とした操作レバーをトップキャップの後部に配設するとともに、前記断面コ字状の被覆部材の後縁が上記操作レバーの回転軌跡に近似されていることを特徴とする、請求項１〜８のいずれかに記載の運動装置のシート高さ調整装置。
【請求項１０】
操作レバーは、指を掛ける指掛け部と、その指掛け部の平面からほぼ直角に曲げられた面を有するストッパー部と、そのストッパー部の一側端から前方に直角に曲げられたレバー部とを有し、そのレバー部に回動中心となるボス部及びチェンとの連動連結片とが設けられていることを特徴とする、請求項１〜９のいずれかに記載の運動装置のシート高さ調整装置。
【発明の詳細な説明】
【技術分野】
【０００１】
本発明は、運動装置、特にペタルの回転操作を行う自転車形式の定置式の運動装置のシート高さ調整装置に関する。  
【背景技術】
【０００２】
最近、所望の負荷が加えられているペタルをサドル状のシートに跨った状態で漕ぐことによって筋肉の鍛錬を行う自転車式の運動装置が普及するようになっている。ところが、このような装置においては使用者の身長に合わせてシートの高さを調整する必要がある。そこで、従来上記運転装置のベースフレームから立設されているガイドフレームに対してシートポストを高さ方向に摺動可能に装着し、上記シートポストをガイドフレームに対して上下方向に摺動させてシートの高さを調整するものが提案されている。
【０００３】
ところが、上記運動装置においては、通常上記シートポストとガイドフレームに高さ方向に複数個の穴を列状に設け、その両者の適宜選択された穴にピンを抜き差しすることにより両者を固定し、シートの高さを調整することが行われている。しかし、このようなピン式のものにおいては、高さ調整部が本体側にあるため高さ調整時にいちいちシートから降りないとその調整ができない等の問題がある。
【０００４】
そこで、特開２００３−２７５３３９号公報、或いは特開平１１−１６９４８２号公報記載のように、シートポストの前後の上下位置にロックピンを圧接し、上記ロックピンの圧接によりシートポストを固定するとともに、シート側にあるロック解除レバーの操作により上記ロックピンの圧接を解除し、シートポストを移動調整することが出来るようにしたものが提案されている。
【０００５】
しかしながら、上記特開２００３−２７５３３９号公報記載のものにおいては、ワイヤーやロックアームのための前後方向のスペースがないと上記ワイヤー等の配設が出来ないし、また特開平１１−１６９４８２号公報記載のものおいては、ロックアームやリターンスプリング等を設けるためのスペースがないとそれらを配設出来ない等の問題がある。すなわち、シートポスト周辺にスペース制約がある場合には適さない等の問題がある。
【０００６】
また、両者とも長期使用によって摩擦部材が摩耗すれば、レバー操作位置が変化し、結果的にメンテナンス調整が必要になる。或いは部品の寸法公差を吸収するため、組立初期調整が必要となり、品質がばらついたりコストアップの要因になったりする。さらに、シート上下機構の制約により、本体側面のカバーを外さないとシートポストを抜いたり差したりすることが出来ず、メンテナンスしずらい等の問題もある。
【特許文献１】特開２００３−２７５３３９号公報
【特許文献２】特開平１１−１６９４８２号公報
【発明の開示】
【発明が解決しようとする課題】
【０００７】
本発明は、このような点に鑑み、シートの高さを手元のレバーにより容易に調整することが出来るとともに、シートポストの前後方向に空間を確保できないものにも容易に適用出来るシート高さ調整装置を得ることを目的とする。
【課題を解決するための手段】
【０００８】
請求項１に係る発明は、運動装置のベースフレームから立設され、側壁部に高さ方向に列状に複数の開口が設けられたアウターシートポストと、上記アウターシートポスト内に上下方向に摺動可能に嵌挿され、頂端部にシートを装着するトップキャップが固着されたインナーシートポストと、上記インナーシートポスト内に挿通され、下部に上記アウターシートポストの開口に選択的に係脱されるロータリープレートが装着されたロータリーロッドと、上記トップキャップに設けられた操作レバーによって上記ロータリーロッドを介してロータリープレートを回動させるロータリープレート操作機構とを有することを特徴とする。
【０００９】
請求項２に係る発明は、請求項１に係る発明において、上記ロータリープレート操作機構は、上記ロータリーロッドの上部に装着されたスプロケットと、そのスプロケットに卷装され、上記トップキャップに設けられた操作レバーに連動連結されたチェンとを有することを特徴とする。
【００１０】
請求項３に係る発明は、請求項２に係る発明において、上記チェンは、上記ロータリープレートが前記アウターシートポストの開口に係合する方向にリターンスプリングにより付勢されていることを特徴とする。
【００１１】
請求項４に係る発明は、請求項１〜３のいずれかに係る発明において、上記アウターシートポストは断面矩形状の筒状を呈しており、上記ロータリープレートの回動位置に応じて、そのロータリープレートの先端部の係合片部がアウターシートポストの開口に係合され或いはその係合片部がアウターシートポスト内に引き込まれることを特徴とする。
【００１２】
請求項５に係る発明は、請求項４に係る発明において、ロータリープレートには、そのロータリープレートのアウターシートポスト内への回動方向に対して後側隅角部に切欠き部が形成されていることを特徴とする。
【００１３】
請求項６に係る発明は、請求項１〜５のいずれかに係る発明において、ロータリーロッドの上下両端部にはそれぞれ少なくとも１つの非円形部が形成されており、そのロータリーロッドの上下両端部に、それぞれ上記ロータリーロッドの上端部或いは下端部の外形と同様な穴を有するスプロケット或いはロータリープレートが嵌装されていることを特徴とする。
【００１４】
請求項７に係る発明は、請求項１〜６のいずれかに係る発明において、前記トップキャップには、操作レバー、スプロケット及び上記操作レバーとスプロケットに卷装されたチェンとを連結するスライダーが装着されるとともに、上記操作レバー、リターンスプリング、チェン及びスライダーの脱落を防止する断面コ字状の被覆部材が装着されていることを特徴とする。
【００１５】
請求項８に係る発明は、請求項１〜７のいずれかに係る発明において、インナーシートポストまたはアウターシートポストの側面には上下方向に複数の穴が設けられており、アウターシートポストまたはインナーシートポスト側には、上記穴よりも大きな直径のボール球或いは少なくとも上記穴と対向する面が円形状の突起物が突出方向に付勢されており、前記ロータリープレートがアウターシートポストの側面に設けられた開口位置に移動したとき、上記ボール球或いは突起物の先端部が上記穴に選択的に係合するようにしてあることを特徴とする。
【００１６】
請求項９に係る発明は、請求項１〜８のいずれかに係る発明において、水平軸を中心として揺動可能とした操作レバーをトップキャップの後部に配設するとともに、前記断面コ字状の被覆部材の後縁が上記操作レバーの回転軌跡に近似されていることを特徴とする。
【００１７】
請求項１０に係る発明は、請求項１〜９のいずれかに係る発明において、操作レバーは、指を掛ける指掛け部と、その指掛け部の平面からほぼ直角に曲げられた面を有するストッパー部と、そのストッパー部の一側端から前方に直角に曲げられたレバー部とを有し、そのレバー部に回動中心となるボス部及びチェンとの連動連結片とが設けられていることを特徴とする。  
【発明の効果】
【００１８】
以上説明したように、ベースフレームから立設され、側壁部に高さ方向に列状に複数の開口が設けられたアウターシートポスト内にインナーシートポストを上下方向に摺動可能に嵌挿し、上記インナーシートポスト内に設けられたロータリープレートを上記トップキャップに設けられた操作レバーによって上記アウターシートポストの開口に選択に係合させるようにしたので、シートの高さ調整をシート側にある操作レバーにより行うことが出来、高さ調整時にいちいちシートから降りる必要がなく、アウターシートポストの前後方向に全く空間を確保できないものにも適用できる。しかも、アウターシートポストとインナーシートポストの固定をロータリープレートと開口との係合によって行うので、摩耗等の問題がなく、長期間の使用にも充分耐えることが出来、また本体側面のカバーを外さなくともインナシートポストを外したり元に戻したりでき、メンテナンスを容易に行い得る等の効果を奏する。
【発明を実施するための最良の形態】
【００１９】
以下添付図面を参照して本発明の実施の形態を説明する。
【００２０】
図１は、本発明に係る運動装置の概略構成を示す、一部切り欠き側面図であり、ボトムフレーム１から断面矩形状のアウターシートポスト２が立設されており、そのアウターシートポスト２内にインナーシートポスト３が高さ方向に摺動可能に配設され、そのインナーシートポスト３の頂端にシート４が装着されている。上記アウターシートポスト３にはその左右の両側壁に複数の開口２ａが高さ方向に列状に穿設されており、上記インナーシートポスト３の下端に設けられた、図示しないロータリープレートが選択的に係合するようにしてある。しかして、上記インナーシートポスト３をアウターシートポスト２に沿って上下方向に移動させ、上記ロータリープレートをアウターシートポスト２の開口２ａに係合させてシート４の高さを調整した後、上記シート４に跨り、運動装置本体に設けられたペタル５を踏むことにより筋肉の鍛錬を行うことが出来る。
【００２１】
図２は、上記インナーシートポスト３の外観図であり、断面矩形筒状のインナーシートポスト３の頂端には操作レバー１２等が設けられたトップキャップ７が固着されており、そのトップキャップ７には断面コ字状の被覆部材８が装着され、その上部に上記被覆部材８を覆うように図示しないシートが取り付けられている。一方、上記インナーシートポスト３の下端には前記アウターシートポスト２に設けられた開口２ａに選択的に係合するロータリープレート９が設けられている。
【００２２】
図３及び図４は上記トップキャップ７部の構成を示す斜視図、図５は上記トップキャップ７の平断面図であり、インナーシートポスト３の頂端に上記運動装置の前後方向に延びる断面Ｔ字状の隔壁１０が設けられているトップキャップ７が固着されている。上記トップキャップ７には、その後部寄りに軸１１を中心として揺動可能な操作レバー１２が枢着されており、また前部には上記隔壁１０に形成された開口部１３にスプロケット１４が配設され、さらに上記隔壁１０には前後方向に延びるガイド１５に沿って前後方向に移動可能なスライダー１６が設けられている。
【００２３】
図６は上記操作レバー１２の斜視図であり、指を掛ける指掛け部１２ａと、その指掛け部１２ａの平面からほぼ直角に曲げられた面を有するストッパー部１２ｂと、そのストッパー部１２ｂの一側端から前方に直角に曲げられ、トップキャップ７の側面に沿って前方に延びるレバー部１２ｃとを有し、そのレバー部１２ｃの中間部には軸１１に軸支されるボス部１２ｄが設けられ、上記レバー部１２ｃの先端部にはフック１２ｅが設けられている。そして、上記フック１２ｅが前記スライダー１６の係止片１６ａに係合されており、上記スライダー１６の前端にチェン１７の一端が連結されている。上記チェン１７は前記スプロケット１４に巻装されており、その他端は隔壁１１を挟むようにして隔壁１１の背面側に延び（図５）、その先端がリターンスプリング１８に連結され、さらに上記リターンスプリング１８の先端が前記トップキャップ７に設けられたピン１９に係合装着されている。
【００２４】
ところで、図７に示すように、前記インナーシートポスト３内にはロータリーロッド２０が貫挿されており、そのロータリーロッド２０の頂端がトップキャップ７内に突出され、その突出部に前記スプロケット１４が装着されている。すなわち、上記ロータリーロッド２０の上端部及び下端部の両側面には互いに平行な平面２１が形成されており、上記ロータリーロッド２０の上端部が前記スプロケット１４の上記ロータリーロッド２０の上端部と同様な形状の穴１４ａに挿入係合され（図５）、そのロータリーロッド２０にナット２２を装着することにより、ロータリーロッド２０の頂端に前記スプロケット１４が固着されている。
【００２５】
一方、インナーシートポスト３の下端にはボトムキャップ２３が固着されており、上記ロータリーロッド２０の下端部がボトムキャップ２３の下方に突出され、その突出部に、前記アウターシートポスト２の開口２ａに係脱するロータリープレート９が固着されている。すなわち、ロータリープレート９にもロータリーロッド２０の下端部と同様な形状の穴９ａが形成されており（図８）、その穴９ａにロータリーロッド２０を挿入し、ロータリーロッド２０にナット２４を装着することによりロータリーロッド２０にロータリープレート９が固着されている。
【００２６】
上記ロータリープレート９には、図８に示すように、中央円板部から径方向に突出し前記アウターシートポスト２の開口２ａに係合可能な係合片９ｂが一体的に形成されており、図８において実線で示すように前記アウターシートポスト２の開口２ａに係合する位置と、鎖線で示す上記開口２ａから引き込まれた位置間を回動可能としてある。上記ロータリープレート９における両係合片９bには、一つの対角線上の両隅角部に傾斜辺部９b１  が切り欠き形成されており、上記ロータリープレート９が、図８における鎖線で示す引き込まれた位置に回動されたときその傾斜辺部９b１  がアウターシートポスト２の内壁面と平行になるようにしてある。
【００２７】
ところで、上記インナーシートポスト３の下端部に設けられているボトムキャップ２３には、図９及び図１０に示すようにロータリープレート９がアウターシートポスト２の開口２ａに係合する位置と、上記開口２ａから引き込まれた位置において上記ロータリープレート９の係合片９ｂが当接し、その回動範囲を規制するストッパ２３ａ、２３ｂが設けられている。しかして、ロータリープレート９がアウターシートポスト２の開口２ａに係合する位置においては、上記ロータリープレート９の係合片９ｂがストッパ２３ａに当接し、係合片９ｂが突出位置に保持され（図９）、一方、上記開口２ａから引き込まれた位置においては上記ロータリープレート９の係合片９ｂがストッパ２３ｂに当接する。
【００２８】
図１１は、アウターシートポスト２の上部位置における縦断側面図であり、インナーシートポスト３の後側面には、図２及び図１１に示すように、複数個のデタント用の穴２５が高さ方向に列状に設けられており、一方、アウターシートポスト２には、その上部位置に筒状の室２６が設けられており、その室２６内には前記インナーシートポスト３の穴２５の径より大きな径を有するボール球２７が収納されており、そのボール球２７がバネ２８により突出方向に付勢され、前記ロータリープレート９がアウターシートポスト２の開口２ａのいずれかと対向する位置にきたとき上記ボール球２７の先端部が前記インナーシートポスト３のいずれかの穴２５に摺接するようにしてある。なお、上記ボール球２７の代わりに先端が円形状に形成された突起物でもよい。
【００２９】
しかして、シート４の高さを調整する場合には、上記シート４に腰掛けた状態で操作レバー１２の指掛け部１２ａに指を掛け上方に引き上げると、操作レバー１２のフック１２ｅが図３において時計方向に回動され、上記フック１２ｅが係合しているスライダー１６が左方に移動される（図４）。したがって、上記スライダー１６に連結されているチェン１７がスプリング１８に抗して引っ張られ、そのチェン１７を介してスプロケット１４が回動され、ロータリーロッド２０を介してロータリープレート９も一体的に回動され、ロータリープレート９が図８の鎖線で示すようにアウターシートポスト２内に引き込まれた位置に移動され、アウターシートポスト２の開口２ａとの係合が離脱される。したがって、上記インナーシートポスト３を上下方向に移動させることにより、シート４の高さを調整することができる。
【００３０】
上記インナーシートポスト３を上下方向に移動させることにより、ボール球２７がデタント用の穴２５に摺接してクリック感が発生し、それにより、前記インナーシートポスト３に設けられたロータリープレート９がアウターシートポスト２の所望位置の開口２ａと対応する位置に移動したことを感知することができる。したがって、その時点で操作レバー１２から手を離すとスプリング１８によって自動的にスプロケット１４が前記と反対方向に復帰し、ロータリープレート９の係合片９ｂが図８の実線で示すように前記アウターシートポスト２の開口２ａに挿入係合され、シート４が選択された高さに保持される。
【００３１】
しかして、上記高さ調整装置においては、シート４の近傍に設けられた操作レバー１２によってアウターシートポスト２に対するインナーシートポスト３の位置固定を解除でき、高さ調整をその都度装置から降りる必要がなく容易に行うことができる。しかも、アウターシートポスト２とインナーシートポスト３との固定・解除を行うための機構がアウターシートポスト２内に配設されており、アウターシートポスト２の前後に露出していないので、スペースの制約を受けることもない。
【００３２】
また、操作レバー１２には、指を掛ける指掛け部１２ａの平面からほぼ直角に曲げられた面を有するストッパー部１２ｂが設けられ、そのストッパー部１２ｂの一側端から前方に直角に曲げられ、トップキャップ７の側面に沿って前方に延びるレバー部１２ｃが設けられているので、操作レバー１２を操作するために指を指掛け部２１ａの下方に挿入した場合に、指の先端が上記ストッパー部１２ｂに当接することにより、指が必要以上に挿入されることがなく、トップキャップ７との間に指が挟まれるようなことが防止される。
【００３３】
さらに、ロータリープレート９の係合片９bにおける、ロータリープレート９が引き込まれる方向への回転方向に対して後側に位置する一つの対角線上の両隅角部に、傾斜辺部９b１  を切り欠き形成した場合には、上記ロータリープレート９を、図８における鎖線で示す引き込まれた位置に回動させる場合に、上記傾斜辺部９b１  がアウターシートポスト２の内壁面と平行になる位置まで回動させればよく、前記スプロケット１４及び操作レバー１２の回動角度を小さくすることができる。
【００３４】
また、ロータリーロッド２０の上端部及び下端部の両側面に互いに平行な平面２１を形成し、その両側面に互いに平行な平面２１を形成した部分を、スプロケット１４或いはロータリープレート９に設けられた同様な形状の穴に挿入係合させることにより、スプロケット１４及びロータリープレート９を一体とすることができ、トップキャップ部にある操作レバー１２の操作位置が決まれば自動的にインナーシートポスト３の下端のロータリープレート９の位置が決まる。なお、上記実施の形態においてはロータリーロッド２０の上端部及び下端部の両側面に互いに平行な平面２１を形成したものを示したが、断面多角形或いは非円形とすることもできる。
【００３５】
ところで、図２及び図５に示すように、トップキャップ７には断面コ字状の被覆部材８が装着されており、その内壁面により、トップキャップ７に装着された操作レバー１２、隔壁１０の前後方向に延びるガイド１５に沿って前後方向に移動可能なスライダー１６、チェン７，及びリターンスプリング１８の脱落が防止されるようにしてある。すなわち、上記操作レバー１２のレバー部１２ｃはトップキャップ７の側面に沿って前方に延びるとともに上記被覆部材８の内面に沿って前方に延びており、また上記スライダー１６、及びチェン１７の外側面にも被覆部材が位置するため、上記被覆部材８の内面によりレバー部１２ｃ、スライダー１６、チェン１７が側方に移動し、トップキャップ７から離脱することが防止される。
【００３６】
また、スライダー１６とチェン１７とは、図５に示すように、スライダー１６の端部に設けられたフック状部１６ｂにチェン１７のピンを係合させることにより互いに連結させることができるが、この場合上記フック状部１６ｂの開口部と被覆部材８の内面との距離をチェン１７の幅以下にすることにより上記連結がはずれることを容易に防止することができる。さらに、トップキャップ７の開口部１３の前後方向の長さをチェン１７がスプロケット１４からはずれるのに必要な外周直径よりも小さくすることにより、チェン１７がスプロケット１４からずれることも容易に防止することができる。
【００３７】
また、インナーシートポスト３の後側面に設けられたデタント用の穴２５にその径より大きな径を有するボール球２７等を摺接するようにしたものにおいては、上記ボール球２７と穴２５との摺接によりクリック感が生じ、インナシートポスト３の固定位置を認識しやすく、使用者がアウターシートポスト２の開口２ａと開口２ａとの中間位置で操作レバー１２を解放してしまって、上記開口２ａとロータリープレート９との位置がずれてしまうようなことが防止される。
【００３８】
ところで、前記トップキャップ７の後端面及び被覆部材８の後端縁部は操作レバー１２の回転軌跡と近似させてある。しかして、上記操作レバー１２とその根元部の機構との間の距離がほとんど変化せず、外観がスマートであるばかりでなく、指の挟み込み等の危険をなくすることができる。
【図面の簡単な説明】
【００３９】
【図１】本発明の運動装置の概略構成を示す、一部切り欠き側面図。
【図２】インナーシートポストの外形を示す図。
【図３】トップキャップ部の構成を示す斜視図。
【図４】図３において操作レバーを操作した状態を示す図。
【図５】トップキャップ部の平断面図。
【図６】操作レバーの形状を示す斜視図。
【図７】ロータリーロッドとスプロケット及びロータリープレートとの装着部を示す図。
【図８】ロータリープレートの作動状態を示す説明図。
【図９】ロータリープレート部の構成を示す図であって、係止片部が突出した状態を示す図。
【図１０】ロータリープレート部の構成を示す図であって、係止片部が引き込まれた状態を示す図。
【図１１】アウターシートポストの上部位置における縦断側面図。
【符号の説明】
【００４０】
２  アウターシートポスト
３  インナーシートポスト
４  シート
５  ペタル
７  トップキャップ
８  被覆部材
９  ロータリープレート
１０  隔壁
１１  軸
１２  操作レバー
１４  スプロケット
１５  ガイド
１６  スライダー
１７  チェン
１８  リターンスプリング
１９  ピン
２０  ロータリーロッド
２３  ボトムキャップ
２５  穴
２７  ボール球
２８  バネ
【図１】
2005245686.tif 000003
【図２】
2005245686.tif 000004
【図３】
2005245686.tif 000005
【図４】
2005245686.tif 000006
【図５】
2005245686.tif 000007
【図６】
2005245686.tif 000008
【図７】
2005245686.tif 000009
【図８】
2005245686.tif 000010
【図９】
2005245686.tif 000011
【図１０】
2005245686.tif 000012
【図１１】
2005245686.tif 000013
【手続補正書】
【提出日】平成16年3月5日(2004.3.5)
【手続補正１】
【補正対象書類名】図面
【補正対象項目名】図７
【補正方法】変更
【補正の内容】
【図７】
2005245686.tif 000014